(57)【特許請求の範囲】
【請求項１】
光ファイバ（１６）をコネクタ接続可能に成端する光コネクタ（３１）が側部に取り付けられた光モジュール（３０、９０）が収納される光配線盤において、
前記光モジュールの前記光コネクタに対向する後端側が向けられる第１作業面側と、前記光モジュールの光コネクタが向けられる第２作業面側とに、それぞれ引き出し可能として光モジュールが収納される成端部（２１、２２、８０）を備え、
この成端部の第１作業面側には、前記光モジュールと係脱可能に係合して前記光モジュールの第１作業面側への引き出しを規制する第１作業面側ストッパ部（５２）が設けられ、前記成端部の第２作業面側には、前記光モジュールと係脱可能に係合して前記光モジュールの第２作業面側への押し込みを規制する第２作業面側ストッパ部（５１、８１ａ）が設けられ、
さらに、前記光モジュールは、前記光コネクタ側の端部と、前記光コネクタに対向する反対側の端部とに、それぞれ設けられたラッチ（３６、３７、９２）が、前記第１作業面側ストッパ部、前記第２作業面側ストッパ部と係脱可能に係合するようになっており、
前記成端部は、前記光モジュールが、両端の前記ラッチが前記第１、第２作業面側ストッパ部にそれぞれ係合して収納される位置である収納位置に対して前記第２作業面側にずれた位置にて前記光モジュールと係合して第１作業面側への移動及び第２作業面側への移動を規制する引出保留位置ストッパ部（２５、８１ｂ）が設けられていることを特徴とする光配線盤（１０、１１、１２）。
【請求項２】
前記引出保留位置ストッパ部（２５）が、前記成端部上に昇降自在に設けられたプレートであり、
前記光モジュールの両端のラッチの間にて前記光モジュール上に突設された鍔部（３３）が入り込む、係合穴（２５ａ）が形成されていることを特徴とする請求項１記載の光配線盤。
【請求項３】
前記引出保留位置ストッパ部（８１ｂ）は、前記第２作業面側ストッパ部（８１ａ）よりも第２作業面側に設けられ、前記光モジュール上に突設されて前記第２作業面側ストッパ部（８１ａ）に係脱可能な鍔部（９３）が挿入される鍔挿入穴（８３）が形成された部材であることを特徴とする請求項１記載の光配線盤。
【請求項４】
光ファイバ（１６）を収納するケース状のモジュール本体と、このモジュール本体の側部に設けられ前記モジュール本体に収納されている光ファイバをコネクタ接続可能に成端する光コネクタ（３１）とを備え、ユニット（１０、１１、１２、２１、２２、８０）に対して、対向する両側部のいずれの側にも引き出し可能に収納される光モジュールであって、
前記光コネクタ側の端部と、前記光コネクタに対向する反対側の端部とに、それぞれ前記ユニットに対して係脱自在のラッチ（３６、３７）が設けられ、
さらに、両端のラッチが前記ユニットに係合する収納位置から前記ユニットの一方の側部にずれた位置にて、前記ユニットの引出保留位置ストッパ部（２５）と係合して、前記ユニットの他方の側部への光モジュールの引き出しを規制する鍔部（３３）が、モジュール本体の両端の間に突設されていることを特徴とする光モジュール（３０）。
【請求項５】
光ファイバ（１６）を収納するケース状のモジュール本体と、このモジュール本体の側部に設けられ前記モジュール本体に収納されている光ファイバをコネクタ接続可能に成端する光コネクタ（３１）とを備え、ユニット（８０）に対して、対向する両側部のいずれの側にも引き出し可能に収納される光モジュールであって、
前記光コネクタ側の端部と、前記光コネクタに対向する反対側の端部とに、それぞれ前記ユニットに対して係脱自在のラッチ（９２、３７）が設けられ、
さらに、両端のラッチが前記ユニットに係合する収納位置から前記ユニットの一方の側部にずれた位置にて、前記ユニットの引出保留位置ストッパ部（８１ｂ）と係合して、前記ユニットの他方の側部への光モジュールの引き出しを規制する鍔部（９３）が、モジュール本体の両端のラッチの内の片側に突設されていることを特徴とする光モジュール（９０）。
【請求項６】
前記モジュール本体の前記ユニットへの収納時の上側となる側部に、前記光ファイバを内部に引き込む光ファイバ引込口（３４）が、前記光コネクタ側の端部と前記光コネクタに対向する反対側の端部とを結ぶ方向に延在するスリット状に形成されており、前記光ファイバ引込口を介してモジュール本体内に引き込まれている光ファイバが、該光ファイバ引込口の延在方向に沿って移動自在になっていることを特徴とする請求項４又は５記載の光モジュール。
【発明の詳細な説明】
【０００１】
【発明の属する技術分野】
本発明は、光配線盤および光モジュールに関するものである。
【０００２】
【従来の技術】
例えば、光配線盤等にあっては、外観薄板ケース状の光モジュールを用い、この光モジュールの側部に取り付けられた光コネクタによって光ファイバをコネクタ接続可能に成端するとともに、光ファイバの余長を前記光モジュール内に収納する構成が提案されている。
【０００３】
図１７（ａ）、（ｂ）は、光モジュールを用いた光配線盤の一例を示す図であって、（ａ）は正面図、（ｂ）は側断面図である。
図１７（ａ）、（ｂ）中、符号１は光配線盤、２はモジュール収納部、３は光モジュールである。
図１７（ａ）、（ｂ）において、光配線盤１に設けられたモジュール収納部２には、外観薄板ケース状の光モジュール３が縦置きにして横並びに複数配列収納されている。各光モジュール３は、モジュール収納部２に引き込まれた光ファイバ４の余長を収納するとともに、その側部に取り付けられた光コネクタ５（光コネクタアダプタ）によって前記光ファイバ４をコネクタ接続可能に成端するようになっている。各光モジュール３の光コネクタ５は、モジュール収納部２の１側部である作業面側（図１７（ｂ）中左側）に向けられており、この作業面側に引き込まれた光ファイバ６が前記光コネクタ５にコネクタ接続されることで、光ファイバ４、６同士が接続されるようになっている。光ファイバ６は、先端が光コネクタ７（光コネクタプラグ）によってコネクタ接続可能に成端されており、モジュール収納部２に収納された各光モジュール３の光コネクタ５に対して着脱自在とされることが普通であり、光コネクタ５に対する光コネクタ７の接続を切り替えることで、光ファイバ４に対して切替接続される。
【０００４】
【発明が解決しようとする課題】
ところで、図１７の光配線盤１では、光モジュール３の光コネクタ５に対する光ファイバ６の接続作業は、各光モジュール３をモジュール収納部２の所定の収納位置に収納した状態で行うことが一般的であり（通常、モジュール収納部２の最奥部に光モジュール３を突き当てて収納する）、モジュール収納部２の作業面側の一定領域８（以下「コネクタ配列領域８」）に各光モジュール３の光コネクタ５が揃った状態で行われる。このため、前述の接続作業は、コネクタ配列領域８近傍の多数本の光ファイバ６が高密度に配線される領域にて行うこととなり、例えば、活線状態の光ファイバ６に触れて光通信の瞬断を生じさせたり、場合によっては光ファイバ６を折り曲げて傷めてしまうといった不都合が生じやすいといった問題があった。また、光ファイバ６との接触を回避しつつ接続作業を進めるのでは、作業能率が低下するといった不満もある。
さらに、前述の接続作業では、光ファイバ４、６同士を正しく接続する必要があるが、前述のように、コネクタ配列領域８近傍に多数本の光ファイバ６が配線されていると、回線の確認がしにくくなり、誤接続の原因となる。これに鑑みて、例えば、光モジュール３のコネクタ取付面３ａに回線番号等を示す表示を設けることも提案されているが、高密度実装型の光配線盤１では、モジュール収納部２にて接続される光ファイバ４、６の心数が多く、コネクタ配列領域８近傍に配線される光ファイバ６もさらに増大するため、前記表示が見えにくくなる上、前記表示を確認するために光ファイバ６を掻き分ける際に光ファイバ６を傷める可能性があり、前記問題の根本的な解決に至らない。
なお、前述の問題は、光ファイバ６の接続作業に限定されず、光ファイバの切替作業、光ファイバの撤去作業等でも共通である。また、光モジュールを複数収納する構成であれば、光配線盤以外、例えば光接続箱等でも、前記問題は同様に生じる。
【０００５】
また、前記光配線盤１では、光モジュール３内側からの光コネクタ５に対する光ファイバ４の接続作業や切替接続作業等の光モジュール３内の作業を行うには、光モジュール３を作業面側に引き出して作業台上にて開放するから、光配線盤１からの光モジュール３の引き出し、収納の際には、周囲の光ファイバを傷めないように、細心の注意を払う必要があり、また、開放した光モジュール３での作業中も、光配線盤１と光モジュール３との間に引き出された光ファイバ４の周囲の光ファイバ６との接触等に注意を払う必要があるなど、作業性に不満があった。さらに、光モジュール３の収納時には、光配線盤１との間に引き出された光ファイバ４の収納作業に手間が掛かるといった不満もあった。
【０００６】
本発明は、前述の課題に鑑みてなされたもので、光モジュールを、対向する両側に引き出し可能に収納することを実現して、第１作業面側での作業（引き出した光モジュールへの光ファイバの収納、光コネクタに対する接続による成端等）と、第２作業面側での光モジュールの光コネクタに対する光ファイバのコネクタ切替作業とを対向する両側に分離することができ、しかも、第２作業面側での光ファイバのコネクタ接続等の作業性を向上できる光配線盤、並びに、対向する両側に引き出し可能に光モジュールを収納する光配線盤に適用される光モジュールを提供することを目的とするものである。
【０００７】
【課題を解決するための手段】
本発明は、前記課題を解決するため、以下の構成を採用した。
すなわち、請求項１記載の発明は、光ファイバ（１６）をコネクタ接続可能に成端する光コネクタ（３１）が側部に取り付けられた光モジュール（３０、９０）が収納される光配線盤において、
前記光モジュールの前記光コネクタに対向する後端側が向けられる第１作業面側と、前記光モジュールの光コネクタが向けられる第２作業面側とに、それぞれ引き出し可能として光モジュールが収納される成端部（２１、２２、８０）を備え、
この成端部の第１作業面側には、前記光モジュールと係脱可能に係合して前記光モジュールの第１作業面側への引き出しを規制する第１作業面側ストッパ部（５２）が設けられ、前記成端部の第２作業面側には、前記光モジュールと係脱可能に係合して前記光モジュールの第２作業面側への押し込みを規制する第２作業面側ストッパ部（５１、８１ａ）が設けられ、
さらに、前記光モジュールは、前記光コネクタ側の端部と、前記光コネクタに対向する反対側の端部とに、それぞれ設けられたラッチ（３６、３７、９２）が、前記第１作業面側ストッパ部、前記第２作業面側ストッパ部と係脱可能に係合するようになっており、
前記成端部は、前記光モジュールが、両端の前記ラッチが前記第１、第２作業面側ストッパ部にそれぞれ係合して収納される位置である収納位置に対して前記第２作業面側にずれた位置にて前記光モジュールと係合して第１作業面側への移動及び第２作業面側への移動を規制する引出保留位置ストッパ部（２５、８１ｂ）が設けられていることを特徴とする光配線盤（１０、１１、１２）である。
請求項２記載の発明は、前記引出保留位置ストッパ部（２５）が、前記成端部上に昇降自在に設けられたプレートであり、前記光モジュールの両端のラッチの間にて前記光モジュール上に突設された鍔部（３３）が入り込む、係合穴（２５ａ）が形成されていることを特徴とする請求項１記載の光配線盤である。
請求項３記載の発明は、前記引出保留位置ストッパ部（８１ｂ）は、前記第２作業面側ストッパ部（８１ａ）よりも第２作業面側に設けられ、前記光モジュール上に突設されて前記第２作業面側ストッパ部（８１ａ）に係脱可能な鍔部（９３）が挿入される鍔挿入穴（８３）が形成された部材であることを特徴とする請求項１記載の光配線盤である。
請求項４記載の発明は、光ファイバ（１６）を収納するケース状のモジュール本体と、このモジュール本体の側部に設けられ前記モジュール本体に収納されている光ファイバをコネクタ接続可能に成端する光コネクタ（３１）とを備え、ユニット（１０、１１、１２、２１、２２、８０）に対して、対向する両側部のいずれの側にも引き出し可能に収納される光モジュールであって、前記光コネクタ側の端部と、前記光コネクタに対向する反対側の端部とに、それぞれ前記ユニットに対して係脱自在のラッチ（３６、３７）が設けられ、
さらに、両端のラッチが前記ユニットに係合する収納位置から前記ユニットの一方の側部にずれた位置にて、前記ユニットの引出保留位置ストッパ部（２５）と係合して、前記ユニットの他方の側部への光モジュールの引き出しを規制する鍔部（３３）が、モジュール本体の両端の間に突設されていることを特徴とする光モジュール（３０）である。
請求項５記載の発明は、光ファイバ（１６）を収納するケース状のモジュール本体と、このモジュール本体の側部に設けられ前記モジュール本体に収納されている光ファイバをコネクタ接続可能に成端する光コネクタ（３１）とを備え、ユニット（８０）に対して、対向する両側部のいずれの側にも引き出し可能に収納される光モジュールであって、
前記光コネクタ側の端部と、前記光コネクタに対向する反対側の端部とに、それぞれ前記ユニットに対して係脱自在のラッチ（９２、３７）が設けられ、
さらに、両端のラッチが前記ユニットに係合する収納位置から前記ユニットの一方の側部にずれた位置にて、前記ユニットの引出保留位置ストッパ部（８１ｂ）と係合して、前記ユニットの他方の側部への光モジュールの引き出しを規制する鍔部（９３）が、モジュール本体の両端のラッチの内の片側に突設されていることを特徴とする光モジュール（９０）である。
請求項６記載の発明は、前記モジュール本体の前記ユニットへの収納時の上側となる側部に、前記光ファイバを内部に引き込む光ファイバ引込口（３４）が、前記光コネクタ側の端部と前記光コネクタに対向する反対側の端部とを結ぶ方向に延在するスリット状に形成されており、前記光ファイバ引込口を介してモジュール本体内に引き込まれている光ファイバが、該光ファイバ引込口の延在方向に沿って移動自在になっていることを特徴とする請求項４又は５記載の光モジュールである。
本発明の光配線盤では、成端部の第１、第２作業面側ストッパ部に光モジュールを係合させることで、光モジュールを安定収納することができる。また、これら第１、第２作業面側ストッパと光モジュールとの係合を解除することで、第１作業面側または第２作業面側への光モジュールの引き出しが可能となる。この光配線盤では、成端部の両側への光モジュールの引き出しが可能であるから、第１作業面側、第２作業面側でのそれぞれの作業を分離でき、しかも、各作業面側では作業対象の光モジュールの引き出しにより、引き出した光モジュールに係る作業を効率良く行うことができる。光モジュールを第１作業面側に引き出すことで、光ファイバの光モジュール内への収納、撤去、入れ替え、光モジュールの光コネクタに対する切替接続等の作業を効率良く行うことができる。第２作業面側へ光モジュールを引き出すことで、第２作業面側での、光モジュールの光コネクタに対する光ファイバのコネクタ接続、接続解除、切替接続等の作業を、周囲の光モジュールに接続されている光ファイバとの接触等を回避しつつ、効率良く行うことができる。
【０００８】
この発明では、第２作業面側に引き出した光モジュールを引出保留位置ストッパ部に係合させることで、この光モジュールの光コネクタに対する光ファイバのコネクタ接続時に作用する押圧力（光コネクタプラグの押し込み力）によって光モジュールが第１作業面側に押し込まれることを防止できるから、光ファイバのコネクタ接続の作業性を向上できる。なお、引出保留位置ストッパ部は、光モジュールの第１作業面側への引き出しを規制することのみならず、光モジュールの第２作業面側へのさらなる引き出しを規制する構成であることがより好ましい。これにより、光モジュールの光コネクタに対する光ファイバのコネクタ接続解除に伴う引っ張り力によって、光モジュールが第２作業面側に引き出されることが防止され、結局、光モジュールの光コネクタに対する光ファイバのコネクタ着脱作業を行っても、光モジュールが第２作業面側、第１作業面側のいずれの方向にも移動が規制され、引出保留位置ストッパ部との係合位置に安定に支持される。
【０００９】
本発明の光モジュールは、光ファイバを収納するケース状のモジュール本体と、このモジュール本体の側部に設けられ前記モジュール本体に収納されている光ファイバをコネクタ接続可能に成端する光コネクタとを備え、ユニットに対して、対向する両側部のいずれの側にも引き出し可能に収納される光モジュールであって、前記光コネクタ側の端部と、前記光コネクタに対向する反対側の端部とに、それぞれ前記ユニットに対して係脱自在のラッチが設けられていることを特徴とする。
この発明の光モジュールは、ユニットに対して係脱自在のラッチを光コネクタ側と、その反対側とに備えているから、各ラッチが係脱可能に係合される構成のユニットを採用することで、ユニットに収納した光モジュールの、ユニットの対向する両側部に対する引き出し許可方向の切替等を自在に行える。ユニットに対する光モジュールの目的の引き出し方向に位置するラッチのユニットに対する係合解除操作により、光モジュールの引き出しが可能となるから、光モジュールの引き出し作業は、この光モジュールの引き出し方向側のユニット側部での作業により行うことができ、作業性を向上できる。
【００１０】
請求項６記載の発明は、請求項４又は５記載の光モジュールにおいて、前記モジュール本体の前記ユニットへの収納時の上側となる側部に、前記光ファイバを内部に引き込む光ファイバ引込口が、前記光コネクタ側の端部と前記光コネクタに対向する反対側の端部とを結ぶ方向に延在するスリット状に形成されており、前記光ファイバ引込口を介してモジュール本体内に引き込まれている光ファイバが、該光ファイバ引込口の延在方向に沿って移動自在になっていることを特徴とする。この光モジュールによれば、ユニットに対する引き出し作業を行っても、光ファイバ引込口からモジュール本体内に引き込まれている光ファイバは、スリット状の光ファイバ引込口の延在範囲により、光ファイバ引込口の延在方向両端に位置するモジュール本体によって押圧されるまでは、光モジュールとの一体的な移動を直ちに生じる訳ではない。光モジュールの引き出し距離が、光ファイバ引込口の延在範囲によって、モジュール本体による光ファイバの押圧、移動を生じない範囲内であれば、光モジュールの引き出しに伴う光ファイバの移動は殆ど生じない。この場合、光モジュールの引き出し、再収納等の作業を行っても、光ファイバ引込口の延在範囲によって、光ファイバの移動を光モジュールの移動距離に比べて抑えることができ（または移動無し）、例えば、活線状態の光ファイバの光通信に悪影響（瞬断等）を与えたり、光ファイバを傷めるといった不都合を防止できる。なお、光ファイバ引込口を介してモジュール本体内に引き込まれている光ファイバが引き出し可能になっていることも、活線状態の光ファイバの光通信に悪影響を与えたり、光ファイバを傷めるといった不都合の回避に寄与する。
【００１１】
【発明の実施の形態】
（第１実施形態）
以下、本発明の第１実施形態を図面を参照して説明する。
図１は光配線盤１０を第２作業面側から見た全体正面図、図２は光配線盤１０を構成する成端架体１１を光配線盤１０の第２作業面側に対向する第１作業面側から見た斜視図、図３は光配線盤１０（詳細には成端架体１１）に設けられる成端部２１を示す第２作業面側から見た正面図、図４は光配線盤１０に適用される成端部２１を示す側断面図である。
【００１２】
図１において、光配線盤１０は、二つの成端架体１１、１２と、ジャンパ用架体１３とを、成端架体１１、１２間に前記ジャンパ用架体１３を介在させて横並びに連設したものである。また、これら架体１１、１２、１３は、内部に光ファイバが配線される配線台１４上に載置状態に設置されている。
【００１３】
成端架体１１は、ユニットである成端部２１（成端ユニット）が上下に多段に設置された架体である。成端架体１２は、前記成端部２１と左右対象の構造の成端部２２が上下に多段に設置された構成になっている。
なお、成端架体１１、１２も、単独で本発明に係る光配線盤として機能するものである。
【００１４】
図１、図２、図４に示すように、成端部２１、２２には、外観薄板ケース状の光モジュール３０が縦置き横並びに複数配列収納されている。
成端架体１１の成端部２１に収納されている各光モジュール３０は、光配線盤１０に引き込まれた光ファイバケーブル１５から口出しされた光ファイバ１６を、該光モジュール３０の側部に取り付けられた光コネクタ３１によって、成端部２１の第２作業面側（図１中紙面手前、図２中左奥側、図４中左側）に引き込まれる別の光ファイバ１７、７０に対してコネクタ接続可能に成端するようになっている。成端架体１２の成端部２２に収納されている各光モジュール３０は、光配線盤１０に引き込まれた光ファイバ６０を、該光モジュール３０の側部に取り付けられた光コネクタ３１によって、成端部２２の第２作業面側（図１中紙面手前、図２中左奥側、図４中左側）に引き込まれる別の光ファイバ１７、７０に対してコネクタ接続可能に成端するようになっている。図１１（ｂ）に示すように、光ファイバ１６、６０は、具体的には、光モジュール３０内側から光コネクタ３１に接続された光ファイバ４４に接続されることで、前記光コネクタ３１によって、光ファイバ１７、７０に対してコネクタ接続可能に成端される（但し、図１１（ｂ）は、ケーブル側光ファイバ１６を成端する光モジュール３０を例示している）。
成端部２１、２２では、光モジュール３０の光コネクタ３１によって、光配線盤１０の第２作業面側に引き込まれる光ファイバ１７、７０に対してコネクタ接続可能に成端する光ファイバ１６、６０が異なる。
【００１５】
成端部２１、２２に収納された各光モジュール３０の側部に設けられた光コネクタ３１は、光配線盤１０の一側部である第２作業面側（図１中紙面手前、図２中左奥側、図４中左側）に向けられており、別途、この第２作業面側に引き込まれた光ファイバ１７、７０が前記光コネクタ３１にコネクタ接続されることで、光ファイバ１６、６０に対して光ファイバ１７、７０が接続される。前記光コネクタ３１は、光コネクタアダプタ、光コネクタレセプタクル等である。この光コネクタ３１に第２作業面側からコネクタ接続される光ファイバ１７、７０は、光コネクタプラグ１７ａ、７０ａによって前記光コネクタ３１に対してコネクタ接続可能に成端されており、光コネクタ３１に対して着脱自在であり、接続、接続解除、切替接続等を行うことができる。
【００１６】
光ファイバ７０は、両端が光コネクタプラグ７０ａによって、光モジュール３０の光コネクタ３１に対してコネクタ接続可能に成端されており、成端部２１、２２の光モジュール３０の光コネクタ３１同士間を接続するジャンパ用光ファイバとして機能する。
そして、この光配線盤１０では、ジャンパ用架体１３を介して成端架体１１、１２間に渡すようにして配線された光ファイバ７０の両端を、成端部２１、２２の光モジュール３０の光コネクタ３１に第２作業面側から接続することで、光ファイバ１６、６０間が、前記光ファイバ７０を介して接続されるようになっている。また、光ファイバ７０の光コネクタ３１に対する接続を切り替えることで、接続するケーブル側光ファイバ１６に対する別の光ファイバ６０の接続が切り替えられる。
【００１７】
また、別途、この光配線盤１０の外側から引き込まれた光ファイバ１７も、各成端部２１、２２の光モジュール３０の光コネクタ３１に対してコネクタ接続可能になっている。
光ファイバ１７は、先端の光コネクタ１７ａによって、光モジュール３０の光コネクタ３１に対してコネクタ接続可能に成端されており、光配線盤１０の外側から成端部２１、２２に引き込まれて、光モジュール３０の光コネクタ３１にコネクタ接続されることで、目的の光ファイバ１６または光ファイバ６０に対して接続されるようになっている。この光ファイバ１７も、光モジュール３０の光コネクタ３１に対する切替接続により、光ファイバ１６、６０に対する接続を自在に切り替えることができる。
【００１８】
光ファイバ１７、７０としては、例えば、単心または多心の光ファイバ心線、光ファイバコード等、各種構成が採用可能である。また、光ファイバ１７、７０先端の光コネクタ１７ａ、７０ａとしては、例えば、ＪＩＳ  Ｃ  ５９７３に制定されるＳＣ形光コネクタ（Single fiber Coupling optical fiber connector）、ＪＩＳ  Ｃ  ５９８３に制定されるＭＵ形光コネクタ（Miniature-Unit couplimg optical fiber connector）等の光コネクタプラグが採用される。多心の場合では、ＪＩＳ  Ｃ  ５９８２に制定されるＭＰＯ形光コネクタ（Multifiber Push On)等が採用される。これら光コネクタ１７ａ、７０ａの構成に対応して、光モジュール３０側の光コネクタ３１も、前記光コネクタ１７ａ、７０ａがコネクタ接続可能な、光コネクタアダプタや光コネクタレセプタクル等が採用される。
【００１９】
光ファイバケーブル１５は、具体的には、光配線盤１０の外部から配線台１４に引き込まれてジャンパ用架体１３に引き上げられ、このジャンパ用架体１３の第１作業面側に設けられたケーブル導入部１３ａ（図２参照）にて固定具１３ｂにより固定され、この固定された端末から光ファイバ１６（以下、「ケーブル側光ファイバ」と称する場合がある）が口出しされる。前記ケーブル導入部１３ａは、ジャンパ用架体１３を構成する仕切り板１３ｃを境界にして、光配線盤１０の第２作業面側に対向する第１作業面側に位置する領域であり、第２作業面側に対して前記仕切り板１３ｃによって仕切られているから、このケーブル導入部１３ａに引き込まれた光ファイバケーブル１５や、該光ファイバケーブル１５端末から口出しされた光ファイバ１６は、第２作業面側に配線される光ファイバ１７、７０等との干渉が防止されている。なお、前記光ファイバ１６としては、光ファイバ心線、光ファイバコード等が採用される。
前記光ファイバ１６は、前記ジャンパ用架体１３から成端架体１１に引き込まれて、目的の成端部２１に配線され、この成端部２１の目的の光モジュール３０に配線される。
【００２０】
一方、成端架体１２の成端部２２の光モジュール３０によってコネクタ接続可能に成端される光ファイバ６０は、ジャンパ用架体１３のケーブル導入部１３ａから目的の成端部２２に配線され、この成端部２２の目的の光モジュール３０に配線される。光ファイバ６０は、ジャンパ用架体１３上部に設けられた開口部１３ｇからの引き込みや、配線台１４からの引き上げにより、ケーブル導入部１３に導入される（図１では、開口部１３ｇからの導入のみを例示）。
【００２１】
光ファイバ１７は、配線台１４、光配線盤１０のフレーム１０ａ上部に設けられたケーブル導入部１８、ジャンパ用架体１３の上部に設けられた開口部１３ｇ等を介して光配線盤１０内に引き込まれ、前記ジャンパ用架体１３や、成端架体１２の側部に設けられた光ファイバ配線部１９を介して成端架体１１の目的の成端部２１に引き込まれ、この成端部２１内の目的の光モジュール３０の光コネクタ３１にコネクタ接続される。
なお、光ファイバ１７は、成端架体１２の光モジュール３０の光コネクタ３１に接続される場合もある。この場合は、光ファイバ１７、６０同士が接続される。
【００２２】
ケーブル導入部１８から導入される光ファイバ１７は、例えばコードケーブル等の光ファイバケーブル１７ｂであり、前記ケーブル導入部１８に固定された光ファイバケーブル１７ｂ端末から口出しされて、光配線盤１０内に配線される。配線台１４から引き込まれる光ファイバ１７も光ファイバケーブル等として導入することが可能である。コードケーブル等の光ファイバケーブルとして導入する場合は、光配線盤１０に設けられたケーブル固定部により光ファイバケーブルを固定し、この固定された光ファイバケーブル端末から口出しした光ファイバ１７を光配線盤１０内に引き回して配線する。
【００２３】
ジャンパ用架体１３では、光ファイバ１７、７０は、仕切り板１３ｃを介して第２作業面側の光ファイバ配線部１３ｄに配線されるから、仕切り板１３ｃを介して第１作業面側のケーブル導入部１３ａに配線された光ファイバ１６、６０等との干渉が防止される。ジャンパ用架体１３の光ファイバ配線部１３ｄや、成端架体１２の光ファイバ配線部１９では、仕切り板１３ｃやフレーム１０ａから突設されて該光ファイバ配線部１３ｄ、１９の複数箇所に配設されたサポート部材１３ｅ、１９ａに光ファイバ１７、７０を引っ掛けたり、サポート部材１３ｆに通すことで、該光ファイバ１７、７０の余長の湾曲処理や、各成端部２１、２２への振り分け配線等を効率良く行うことができる。
【００２４】
図１、図３、図４に示すように、成端部２１、２２に引き込まれた光ファイバ１７、７０は、成端部２１の第２作業面側に設けられた樋状の配線ダクト５３に配線され、さらに、この配線ダクト５３から引き上げるようにして、目的の光モジュール３０の光コネクタ３１にコネクタ接続される。前記光ファイバ１７、７０は、光ファイバ配線部１３ｄ、１９での配線ルートを変えるだけで、引き込み先の成端部２１、２２を簡単に変更できるから、これにより、成端部２１、２２の光モジュール３０の光コネクタ３１に対する切替接続等を容易に行うことができる。ジャンパ用光ファイバである光ファイバ７０を介した光ファイバ１６、６０間の切替接続も容易に行うことができる。
なお、配線ダクト５３の光ファイバ配線部１３ｄに望む端部に設けられたクランプ５３ａは、前記光ファイバ配線部１３ｄから導入された光ファイバ１７、７０をクランプして引き留める。
モジュール台２３の下側にて、配線ダクト５３内側に突設されたサポート部材２０ａは、成端部２１、２２に収納された光モジュール３０の光コネクタ３０と配線ダクト５３との間に配線された光ファイバ１７、７０を光モジュール３０毎に集合させて保持する。
【００２５】
図３および図４に示すように、成端部２１は、具体的には、複数の光モジュール３０が縦置き横並びに載置されるモジュール台２３と、このモジュール台２３の上方に設置された上部プレート２４と、この上部プレート２４の上に設置された引出保留位置ストッパ部２５と、前記配線ダクト５３とを備え、前記モジュール台２３と前記上部プレート２４との間のモジュール収納空間２６内に光モジュール３０を収納するようになっている。また、前記引出保留位置ストッパ部２５の上方には、該成端部２１に引き込まれた光ファイバ１６が、該成端部２１内の目的の光モジュール３０に振り分け配線される配線棚２９が設けられている。
上部プレート２４は、第２作業面側から見て（図３参照）成端部２１の左右両端の側板２７ａ、２７ｂ間に架設されている。但し、図４においては、上部プレート２４の図示を省略している。図３に示すように、前記引出保留位置ストッパ部２５は上部プレート２４上に積層されたプレート状に構成されており、昇降自在に設けられている。
【００２６】
成端部２１では、モジュール台２３に形成されたガイド溝２３ａに、光モジュール３０から突設されたガイド片３２が挿入され、また、図３、図５、図７（ａ）〜（ｃ）に示すように、上部プレート２４に形成されたガイド溝２４ａに光モジュール３０から突設された鍔部３３が挿入されるから、光モジュール３０の縦置き状態を安定に維持することができる。
【００２７】
図２に示すように、成端部２１の上部に設けられた前記配線棚２９には、前記ジャンパ用架体１３のケーブル導入部１３ａに開口された光ファイバ導入口２９ａから導入された光ファイバ１６が引き回されるようになっている。配線棚２９に導入、配線された光ファイバ１６は、該配線棚２９の第１作業面側の端部に沿って複数連設された配線口２９ｂから、光モジュール３０に向けて引き落とされる。
【００２８】
図５は、図４のＡ−Ａ線矢視図である。図５に示すように、前記上部プレート２４は、モジュール収納空間２６の中央部を上から覆うように設けられており、図２、図４、図５に示すように、前記配線口２９ｂは、上部プレート２４よりも第１作業面側にて、モジュール収納空間２６の前記上部プレート２４に覆われていない部分であるモジュール露出領域２６ａ上に位置している。前記配線棚２９から引き落とされた光ファイバ１６は、前記モジュール露出領域２６ａに露出された光モジュール３０に対して、該光モジュール３０の上側（図２、図４中上側）に向けられた側面に開口された光ファイバ引込口３４（図６（ｄ）参照）から引き込まれる。
【００２９】
図６は、光モジュール３０を示す図であって、（ａ）は正面図、（ｂ）は光コネクタ３１側から見た側面図（左側面図）、（ｃ）は前記光コネクタ３１と対向する側（以下「後端側」）から見た側面図（右側面図）、（ｄ）は平面図である。図１１は、光モジュール３０の内部構造を示す図であって、（ａ）は光モジュール３０の両側部に設けられた蓋４０ａ、４０ｂの一方（蓋４０ａ）を取り外した状態を示す図、（ｂ）は他方の蓋４０ｂと内部に収納されている２枚の仕切り材３８、３９の内の一方（仕切り材３９）とを取り外し、モジュール本体３５を構成する仕切り壁である仕切り材３８を露出させた状態を示す図である。
【００３０】
図６（ａ）〜（ｄ）に示すように、光モジュール３０は、概略プレート状の外観薄板ケース状のモジュール本体３５の一側部に光コネクタ３１が実装された構成になっている。図６（ａ）〜（ｄ）および図１１（ａ）、（ｂ）に示すように、モジュール本体３５は、前記光コネクタ３１が取り付けられるコネクタ取付部３５ｄと、このコネクタ取付部３５ｄから連続して形成された長方形状の仕切り壁である仕切り材３８と、この仕切り材３８の前記光コネクタ取付部３５ｄの側を除く周囲の３辺に設けられた側壁部３５ａ、３５ｂ、３５ｃと、前記仕切り材３８の厚さ方向両側にクリアランスを介して取り付けられる開閉自在の蓋４０ａ、４０ｂとを備えて構成されている。
この光モジュール３０の前記光コネクタ３１側の端部と、前記光コネクタ３１に対向する反対側の端部とには、前記成端部２１に設けられたストッパ部５１、５２（図４参照）に対して係脱可能に係合されるラッチ３６、３７が設けられている。
また、鍔部３３と一方のラッチ３６とは、前記ガイド片３２と対向する反対側に設けられている。他方のラッチ３７は、ガイド片３２の延長上に突設されており、モジュール本体３５を介して一方のラッチ３６と丁度対角の位置に対向配置されている。
【００３１】
図２、図４、図６（ａ）〜（ｄ）に示すように、前記光ファイバ引込口３４は、成端部２１に収納された光モジュール３０の上側に向けられる側部に形成されている。図６（ｄ）に示すように、前記光モジュール３０は、光コネクタ３１が取り付けられた側の側部から後端側にわたって延在するようにして設けられた２枚のシート状の仕切り材３８、３９によって、内部に３つの領域（収納部４１、４２、４３）に画成されている。
【００３２】
図６（ａ）〜（ｄ）、図１１（ａ）、（ｂ）に示すように、光モジュール３０の厚さ方向一方の側部を開閉する蓋４０ａと、一方の仕切り材３８との間に画成された余長収納部４１には、前記光ファイバ引込口３４から引き込まれたケーブル側光ファイバ１６の余長１６ａが収納される。この余長収納部４１は、前記光ファイバ引込口３４と連通されており、このケーブル側光ファイバ１６の余長１６ａ（図４参照）が引き出し可能に湾曲収納されるようになっている。なお、前記光ファイバ引込口３４の一側部は、前記蓋４０ａによって開閉されるようになっている。
【００３３】
具体的には、前記余長収納部４１の中央部には、仕切り材３８から突設されたマンドレル３８ｂが設けられている。余長収納部４１に収納される光ファイバ１６の余長１６ａは、前記マンドレル３８ｂに巻き掛けるようにして湾曲処理することができる。また、余長収納部４１には、前記余長１６ａには、成端部からの光モジュール３０の引き出し等に対応して引き出される引き出し長を確保して余長１６ａを収納する。
【００３４】
前記仕切り材３８には、リブ状の余長収納壁３８ｃが前記マンドレル３８ｂを外側から囲繞するようにして突設されており、前記余長１６ａは、前記余長収納壁３８ｃよってその内側に画成された余長収納空間４１ａ内に収納される。余長収納壁３８ｃは、光ファイバ１６を傷めないように湾曲されており、余長収納空間４１ａ内に収納された光ファイバ１６の余長１６ａは、例えば、光モジュール３０の移動等に伴う引き出しや、光ファイバ引込口３４からの押し込み等の際に、光特性に影響を与えない湾曲半径を維持しつつ、余長収納空間４１ａ内を円滑に移動することができる。
【００３５】
余長収納空間４１ａには、前記余長収納壁３８ｃの前記光ファイバ引込口３４に対応する位置を切り欠いた形状の連通口４２ａを介して、光ファイバ１６が引き出し可能に収納される。前記光ファイバ引込口３４は、光コネクタ３１側から該光コネクタ３１に対向する後端部にわたって延在する側壁部３５ａに、光コネクタ３１側から該光コネクタ３１に対向する後端部にわたって延在するスリット状に形成されており、前記余長収納空間４１ａの連通口４２ａは前記光ファイバ引込口３４とほぼ対応する大きさに形成されている。
なお、光ファイバ引込口３４が形成されている側壁部３５ａは、ガイド片３２が設けられている側壁部３５ｂに対して、仕切り材３８を介して対向配置されており、成端部２１に収納した際には上側、つまり、配線棚２９の側に向けられるようになっている。
【００３６】
図１１（ｃ）に示すように、仕切り材３８の複数箇所に突設された押え片３８ａは、余長収納部４１、接続部収納部４２内の光ファイバを仕切り材３８に押え込むものである。図１２に示すように、この押え片３８ａは、仕切り材３８から立ち上げられて、該仕切り材３８に沿うようにして屈曲形成された舌片であり、仕切り材３８の厚さ方向両側の適切箇所に突設されており、また、その形状は、余長収納部４１や接続部収納部４２の内部での光ファイバの配線ルート、湾曲半径等に鑑みて、適宜設定される。仕切り材３８には、該押え片３８ａに対応する形状の穴３８ｈが形成されている。
なお、モジュール本体３５の各部は、内部に収納する光ファイバ１６、４４を傷めにくい素材、例えばプラスチック等の合成樹脂から形成される。また、前記仕切り材３８は、モジュール本体３５の側壁部３５ａ、３５ｂ、３５ｃやコネクタ取付部３８ｄとともに一体成形により形成された仕切り壁である。
【００３７】
２枚の仕切り材３８、３９間に画成された接続部収納部４２には、前記ケーブル側光ファイバ１６と該光モジュール３０に内蔵の光ファイバ４４（光ファイバ素線、光ファイバ心線、光ファイバコード等）との光接続部４５が収納される。ケーブル側光ファイバ１６は、この接続部収納部４２と前記余長収納部４１との間を仕切る仕切り材３８に形成された連通穴３８ｄを介して、接続部収納部４２と前記余長収納部４１との間に連通される。一方、光モジュール３０に内蔵の光ファイバ４４は、この仕切り材３８に対して前記接続部収納部４２を介して逆側に位置する仕切り材３９に形成された図示しない連通穴を介して、前記仕切り材３９によって仕切られた光ファイバ収納部４３から接続部収納部４２に引き込まれる。光接続部４５は、仕切り材３８に設けられたホルダ３８ｅに着脱自在に保持される。
仕切り材３９は、光モジュール３０に取り出し可能に収納されているから、余長収納部４１に対向する逆側の前記蓋４０ｂを開放して前記仕切り材３９を取り出すことで、接続部収納部４２を開放できる。
なお、前記接続部収納部４２に収納される光接続部４５としては、融着接続部、光コネクタ等、各種構成が採用可能である。また、接続部収納部４２内にて前記光接続部４５を保持する構成としては、光接続部４５を接続部収納部４２内で極力浮動させずに保持するものであれば良く、前記ホルダ３８ｅに限定されず、例えば仕切り壁である仕切り材３８とは別の仕切り材３９に設けたホルダ等であっても良い。
【００３８】
光モジュール３０の厚さ方向にて前記一方の蓋４０ａに対して対向する反対側に設けられた開閉自在の蓋４０ｂと他方の仕切り材３９との間に画成された光ファイバ収納部４３では、光モジュール３０の内部から前記光コネクタ３１に接続された光ファイバ４４が前記接続部収納部４２まで引き回し配線される。この光ファイバ収納部４３は、蓋４０ｂの開閉により開閉できる。
図１１（ａ）、（ｂ）において、光ファイバ４４は、光コネクタプラグ４４ａによってコネクタ接続可能に成端された先端が、多連の光コネクタアダプタである光コネクタ３１に対して接続されるようになっている。光ファイバ収納部４３を開放すると、光コネクタ３１に対する光ファイバ４４の切替接続等の作業を行うことができる。
【００３９】
図２および図１０に示すように、光モジュール３０内蔵の光ファイバ４４に対するケーブル側光ファイバ１６の接続作業は、成端部２１から第１作業面側に引き出した光モジュール３０を開放して行う。光ファイバ１６、４４同士の光接続部は、光モジュール３０の接続部収納部４２に収納され、光モジュール３０内蔵の光ファイバ４４の余長は、接続部収納部４２または光ファイバ収納部４３に収納され、ケーブル側光ファイバ１６の余長１６ａは引き出し長を確保して余長収納部４１に湾曲収納される。
【００４０】
図４および図６に示すように、光モジュール３０の光コネクタ３１側の端部に設けられたラッチ３６は、モジュール本体３５から突設された弾性片であり、ツマミ３６ａと、突爪３６ｂとを備えている。光モジュール３０の前記光コネクタ３１に対向する反対側の端部に設けられたラッチ３７は、モジュール本体３５から突設された弾性片であり、ツマミ３７ａと、突爪３７ｂとを備えている。
図４に示すように、光モジュール３０は、前記ラッチ３６を、成端部２１の上部プレート２４の第２作業面側に設けられた第２作業面側ストッパ部５１と係合させ、前記ラッチ３７を、成端部２１のモジュール台２３の第１作業面側端部に設けられた第１作業面側ストッパ部５２と係合させることで、成端部２１内の所定の収納位置に安定収納される（図４の位置が所定の収納位置。以下、「収納位置Ｓ」と称する場合がある）。
なお、以下、第２作業面側ストッパ部５１に係合されるラッチ３６を「第２作業面側ラッチ３６」、第１作業面側ストッパ部５２に係合されるラッチ３７を「第１作業面側ラッチ３７」と称して区別することを基本とする。
【００４１】
図５および図７（ａ）〜（ｃ）において、第２作業面側ストッパ部５１は、具体的には、前記第２作業面側ラッチ３６の突爪３６ｂが挿入される係合穴５１ａがモジュール収納空間２６に収納される各光モジュール３０毎に対応させて複数形成されたプレート状に形成されている。前記係合穴５１ａは、第２作業面側ストッパ部５１の前後方向（第２作業面側から、あるいは第１作業面側から見た光配線盤１０の奥行き方向。図５中上下、図７（ａ）〜（ｃ）中左右）中央部に形成されている。
【００４２】
前記係合穴５１ａに入り込んだ前記突爪３６ｂの第２作業面側には、前記第２作業面側ストッパ部５１の前記係合穴５１ａの第２作業面側に存在する当接部５１ｂに突き当てられることで、それ以上の第２作業面側への移動を規制する当接面３６ｃが形成されている。第２作業面側ストッパ部５１は、光モジュール３０の第２作業面側への移動限界を設定する機能を果たす。前記突爪３６ｂの第１作業面側には、第１作業面側から第２作業面側に行くにしたがって次第に上方（図７（ａ）〜（ｃ）中上方。第２作業面側ストッパ部５１側）にせり上がる形状のテーパ面３６ｄが形成されている。したがって、前記係合穴５１ａに入り込んだ前記突爪３６ｂが、光モジュール３０の第１作業面側への移動とともに移動されると、第２作業面側ストッパ部５１の前記係合穴５１ａの第１作業面側に存在する押し下げ部５１ｃと前記テーパ面３６ｄとの当接により、前記突爪３６ｂが前記押し下げ部５１ｃの下側に入り込むことで、前記第２作業面側ラッチ３６が弾性変形され、第２作業面側ストッパ部５１から突爪３６ｂが抜き出される。
【００４３】
図８（ａ）、（ｂ）において、第１作業面側ストッパ部５２は、具体的には、モジュール台２３のガイド溝２３ａの第１作業面側端部に突設されたストッパ壁５２ａを備えて構成されている。第１作業面側ラッチ３７の前記突爪３７ｂの第１作業面側には、前記第１作業面側ストッパ部５２のストッパ壁５２ａに突き当てられることで、それ以上の第１作業面側への移動を規制する当接面３７ｃが形成されている。第１作業面側ストッパ部５２は、光モジュール３０の第１作業面側への移動限界を設定する機能を果たす。第１作業面側ストッパ部５２の第２作業面側にずれた位置にて前記ガイド溝２３ａ内に突設された保留突壁５２ａと前記第１作業面側ストッパ部５２との間に確保されたラッチ収納溝５２ｃには、収納位置Ｓに収納される光モジュール３０の第１作業面側ラッチ３７の突爪３７ｂが挿入される。前記前記突爪３７ｂの第２作業面側には、第１作業面側から第２作業面側に行くにしたがって次第に上方（図８（ａ）、（ｂ）中上方。第２作業面側ストッパ部５１側）にせり上がる形状のテーパ面３７ｄが形成されている。したがって、前記ラッチ収納溝５２ｃに入り込んだ前記突爪３７ｂが、光モジュール３０の第２作業面側への移動とともに移動されると、前記保留突壁５２ａと前記テーパ面３７ｄとの当接により、前記突爪３７ｂが前記保留突壁５２ａ上に乗り上げることで、前記第１作業面側ラッチ３７が弾性変形され、前記突爪３７ｂがラッチ収納溝５２ｃから抜け出される。
【００４４】
モジュール台２３および上部プレート２４の前記ガイド溝２３ａ、２４ａは、互いに平行になっており、成端部２１のストッパ５１、５２に対する光モジュール３０のラッチ３６、３７の係合が解除されれば、光モジュール３０は、モジュール台２３および上部プレート２４の前記ガイド溝２３ａ、２４ａにガイドされつつモジュール台２３上をスライド移動することで、第１作業面側または第２作業面側への光モジュール３０の引き出しが可能である。
各ラッチ３６、３７の係合解除操作は、例えば、ツマミ３７ａ、３７ａの手動操作等により、成端部２１の第２作業面側ストッパ部５１の係合穴５１ａや第１作業面側ストッパ部５２のラッチ収納溝５２ｃから突爪３６ｂ、３７ｂを抜き出すことで簡単に行うことができる。
また、引き出した光モジュール３０の収納位置Ｓへの再収納も可能であり、各ラッチ３６、３７をストッパ５１、５２に係合させることで、光モジュール３０を再度、安定に保持することができる。
第２作業面側、第１作業面側への光モジュール３０の引き出し作業については、後に詳述する。
【００４５】
光モジュール３０を、光配線盤１０の第１作業面側から成端部２１に挿入し、ストッパ５１、５２に対するラッチ３６、３７の係合により収納位置Ｓに収納すれば、第１作業面側、第２作業面側のいずれにも光モジュール３０の引き出しが規制されるので、第２作業面側に向けられた光コネクタ３１に対する光ファイバ１７、７０先端の光コネクタプラグ１７ａ、７０ａの接続作業による光モジュール３０の第１作業面側への押し込みや、前記光コネクタプラグ１７ａ、７０ａの光コネクタ３１に対する接続解除による光モジュール３０の第２作業面側の引き出しが防止され、光コネクタ３１に対する光ファイバ１７、７０の接続、接続解除、切替接続等の作業性が確保される。
【００４６】
第２作業面側ラッチ３６の第２作業面側ストッパ部５１に対する係合とは、図７（ａ）に示すように、第２作業面側ラッチ３６の突爪３６ｂが第２作業面側ストッパ部５１の係合穴５１ａに入り込んだ状態であり、第１作業面側ラッチ３７の第１作業面側ストッパ部５２に対する係合とは、図８（ａ）に示すように、第１作業面側ラッチ３７の突爪３７ｂが第１作業面側ストッパ部５２のラッチ収納溝５２ｃに入り込んだ状態である。
【００４７】
光モジュール３０の光コネクタ３１に対する光ファイバ１７、７０の着脱作業を行う際には、図９に示すように、作業対象の光モジュール３０を第２作業面側の引出保留位置Ｒに引き出す。
図７（ａ）〜（ｃ）に示すように、収納位置Ｓから引出保留位置Ｒへの光モジュール３０の引き出しは、収納位置Ｓに収納されている作業対象の光モジュール３０の第２作業面側ラッチ３６を操作して第２作業面側ストッパ部５１に対する係合を解除し、第２作業面側へ引き出すことでなされる。光モジュール３０が第２作業面側に移動されると、成端部２１内での収納時に光モジュール３０の上側となる側部から突設されている鍔部３３が、成端部２１に設けられている引出保留位置ストッパ部２５に形成された係合穴２５ａ（図７（ａ）〜（ｃ）、図５参照）に入り込むことで、引出保留位置ストッパ部２５に係合し、それ以上の第２作業面側への移動が規制される。また、図９に示すように、鍔部３３が係合穴２５ａに入り込むと、光モジュール３０の第１作業面側への移動も規制される。
【００４８】
図７（ａ）〜（ｃ）に示すように、第２作業面側ラッチ３６の第２作業面側ストッパ部５１に対する係合解除、並びに、光モジュール３０の引出保留位置Ｒへの引き出し作業は、いずれも、光配線盤１０の第２作業面側からの第２作業面側ラッチ３６の操作によって行うことができる。
具体的には、光モジュール３０の第２作業面側ラッチ３６に突設されているツマミ３６ａの操作のみによって行うことができる。つまり、第２作業面側ラッチ３６の第２作業面側ストッパ部５１に対する係合解除は、ツマミ３６ａの下方への押し下げ操作により弾性片である第２作業面側ラッチ３６を下方へ曲げ変形させることで、光モジュール３０上方の第２作業面側ストッパ部５１の係合穴５１ａから第２作業面側ラッチ３６の突爪３６ｂを下方へ抜き出す。
光モジュール３０の引出保留位置Ｒへの引き出し作業は、前記第２作業面側ラッチ３６の第２作業面側ストッパ部５１に対する係合解除にて用いたツマミ３６ａをそのまま第２作業面側に引っ張り操作することにより行うことができる。
なお、光モジュール３０の第２作業面側への引き出しは、前記ツマミ３６ａの引っ張り操作に限定されず、例えば、別途、引き出し用のツマミを光モジュールに突設しておき、このツマミの引っ張り操作等によっても行えることは言うまでも無い。
【００４９】
一方、図８（ａ）、（ｂ）に示すように、光モジュール３０の第１作業面側ラッチ３７は、光モジュール３０の第２作業面側への移動に伴って、前記突爪３７ｂの第２作業面側に設けられているテーパ面３７ｄによって保留壁部５２ｂに乗り上がり、乗り越えることで、第１作業面側ストッパ部５２に対する係合が自動的に解除される。
【００５０】
図４に示すように、引出保留位置ストッパ部２５は、上下方向に変位自在になっており、第１作業面側に行くにしたがってモジュール収納空間２６から上方へ離間するように傾斜されたテーパ状の鍔受け部２５ｂを備えている。前記引出保留位置ストッパ部２５は、前記鍔受け部２５ｂが鍔部３３によって第１作業面側から押圧されることにより上方に押し上げられ、鍔受け部２５ｂに沿って引出保留位置ストッパ部２５の下側に入り込んだ鍔部３３が前記引出保留位置ストッパ部２５の前後方向中央部に設けられた前記係合穴２５ａに到達したところで、自重あるいは必要に応じて設けられるスプリングの付勢力等によりモジュール収納空間２６側に移動する。これにより、図９に示すように、鍔部３３が係合穴２５ａに入り込む結果、鍔部３３の前後方向の移動が拘束されることとなり、光モジュール３０が引出保留位置Ｒに固定されることとなる。この状態では、光モジュール３０の前後方向への移動が防止されているから、光ファイバ１７、７０先端の光コネクタプラグ１７ａ、７０ａの光コネクタ３１に対する着脱作業を、光モジュール３０の第１作業面側への押し込みや第２作業面側への引き出しを生じること無く、効率良く行うことができる。
【００５１】
引出保留位置Ｒに光モジュール３０を固定した状態にて、光コネクタ３１に対する光ファイバ１７、７０のコネクタ接続、接続解除、切替接続等の作業を行う構成では、周囲の光モジュール３０の光コネクタ３１に接続されている光ファイバ１７、７０を避けて、作業対象の光コネクタ３１を効果的に露出させることができるから、この光コネクタ３１に対する光ファイバ１７、７０の着脱作業性を向上できる。また、作業対象の光コネクタ３１の周囲の光モジュール３０の光コネクタ３１や、この光コネクタ３１に接続されている光ファイバ１７、７０等に接触して、光特性に影響を与えることを防止できる。これら周囲の光コネクタ３１や光ファイバ１７、７０に対する干渉防止の点からも、作業対象の光コネクタ３１に対する光ファイバ１７、７０の着脱作業性を向上できる。
【００５２】
引出保留位置Ｒの光モジュール３０を第１作業面側に移動させるには、まず、成端部２１の両側部に設けられている離脱レバー２５ｃを上方に押し上げ操作することで、この離脱レバー２５ｃと一体的に設けられている引出保留位置ストッパ部２５を上方に押し上げて、係合穴２５ａから鍔部３３を抜き出す。これにより、引出保留位置ストッパ部２５に対する鍔部３３の係合が解除されるから（係合穴２５ａに鍔部３３が入り込んだ状態が引出保留位置ストッパ部２５に対する鍔部３３の係合状態）、この係合解除後、光モジュール３０を第１作業面側に押圧することで第１作業面側に移動させることができ、収納位置Ｓへの再収納等を行うことができる。
【００５３】
成端部２１の収納位置Ｓに収納されている光モジュール３０を第１作業面側に抜き出すには、第１作業面側ラッチ３７の第１作業面側ストッパ部５２に対する係合を解除し、光モジュール３０を第１作業面側に引き出せば良い。
図２および図１０に示すように、光モジュール３０を第１作業面側に抜き出すことで、例えば、この光モジュール３０によってコネクタ接続可能に成端するケーブル側光ファイバ１６の新規収納、入れ替え、撤去、光モジュール３０内蔵の光ファイバ４４に対する接続切替等の作業を、適切な作業台上等にて、効率良く行うことができる。
【００５４】
第１作業面側ラッチ３７の第１作業面側ストッパ部５２に対する係合解除は、具体的には、図８（ａ）中仮想線に示すように、第１作業面側ラッチ３７のツマミ３７ａを上方に引き上げて、前記第１作業面側ストッパ部５２のストッパ壁５２ａの第１作業面側に乗り越えさせることでなされる。そして、この係合解除後、光モジュール３０を第１作業面側に引き出すことで、成端部２１から光モジュール３０を抜き出すことができる。
なお、第２作業面側ラッチ３６は、光モジュール３０の第１作業面側への移動に伴い、突爪３６ｂの第１作業面側に設けられているテーパ面３６ｄが第２作業面側ストッパ部５１の押し下げ部５１ｃに押圧されることで、下方に押し下げ変形され、第２作業面側ストッパ部５１の係合穴５１ａから突爪３６ｂが抜け出ることで、第２作業面側ストッパ部５１に対して自動的に係合解除される。
第１作業面側に抜き出した光モジュール３０は、最初の収納作業と同様の作業により、再度、収納位置Ｓに収納することができる。
【００５５】
成端部の収納位置での光モジュール３０の収納、第１作業面側、第２作業面側への光モジュール３０の引き出しは、成端架体１２側の成端部２２でも、成端架体１２の成端部２１と同様である。
【００５６】
つまり、この光配線盤１０では、収納位置Ｓから第２作業面側、第１作業面側のいずれの側へも光モジュール３０の引き出しを行うことができる。また、第２作業面側へは、光モジュール３０の光コネクタ３１に対する光ファイバ１７、７０の着脱を容易に行える引出保留位置Ｒでの固定や、引出保留位置Ｒでの固定解除による収納位置Ｓへの再収納を容易に行うことができるから、所望の光モジュール３０の光コネクタ３１に対する光ファイバ１７、７０の接続、接続解除、切替接続等の作業性を向上できる。
【００５７】
ところで、図４に示すように、成端部２１の収納位置Ｓに収納された光モジュール３０の光ファイバ引込口３４は、配線棚２９の配線口２９ｂの直下に位置しており、前記配線棚２９から光モジュール３０に引き込まれる光ファイバ１６は、前記配線棚２９の配線口２９ｂからほぼ垂直下方に引き落とされる。前記光ファイバ引込口３４はスリット状であり、成端部２１のモジュール収納空間２６に収納された光モジュール３０においては、光ファイバ引込口３４は、該光モジュール３０の上側に向けられる側部にて、成端部２１における光モジュール３０のスライド移動方向、すなわち、モジュール台２３に形成されたガイド溝２３ａや上部プレート２４に形成されたガイド溝２４ａに沿った方向に延在されている。配線棚２９から光モジュール３０に引き込まれている光ファイバ１６は、前記光ファイバ引込口３４の延在範囲によって該光ファイバ引込口３４内を移動することができる。したがって、例えば、前記収納位置Ｓにある光モジュール３０を、第２作業面側や第１作業面側にスライド移動（引き出し）した場合に、光ファイバ引込口３４の延在方向端部が光ファイバ１６に到達して光モジュール３０によって光ファイバ１６が押し動かされるまで光ファイバ１６は強制的には移動されないから、この光ファイバ１６の光モジュール３０の移動との追従移動距離を抑えることができる。前記光モジュール３０の第２作業面側や第１作業面側への移動距離が、前記光ファイバ引込口３４の延在方向端部が光ファイバ１６に到達しない範囲である場合は、光モジュール３０の移動に伴う光ファイバ１６の追従移動は殆ど無いか、あるいは全く無くすことができる。なお、光モジュール３０の移動距離が、前記光ファイバ引込口３４での光ファイバ１６の移動可能な範囲を超える場合は、光モジュール３０の余長収納部４１内に収納されている余長１６ａが光ファイバ引込口３４から引き出される。光モジュール３０を収納位置Ｓに戻せば、引き出された余長１６ａは、再度、光ファイバ引込口３４から押し込むようにして光モジュール３０内（詳細には、余長収納部４１内）に湾曲収納することができる。
【００５８】
（第２実施形態）
次に、本発明の第２実施形態を説明する。
本実施形態の光配線盤は、前記第１実施形態の光配線盤１０の成端部２１、２２に代えて、図１３等に示す成端部８０を搭載したものである。成端部８０は、クランプ５３ａの設置位置等を適宜変更することにより、図１の光配線盤１０の成端架体１１、１２に搭載される。また、この光配線盤の成端部８０には、前記第１実施形態の光配線盤１０に適用される光モジュール３０に代えて、若干構成の異なる光モジュール９０が収納される。
なお、図１３〜図１６中、図１〜図１０と同一の構成部分には同一の符号を付し、その説明を簡略化する。
【００５９】
図１３は、成端部８０を示す側断面図、図１４は成端部８０に適用される光モジュール９０を示す図であって、（ａ）は正面図、（ｂ）は光コネクタ３１側から見た側面図（左側面図）、（ｃ）は前記光コネクタ３１と対向する側（以下「後端側」）から見た側面図（右側面図）、（ｄ）は平面図である。
【００６０】
図１３において、成端部８０は、第１実施形態の光配線盤１０の成端部２１の第２作業面側ストッパ部５１に代えて、図１３中符号８１の複合ストッパ部を採用したものである。図１３および図１５に示すように、前記複合ストッパ部８１は、成端部８０内の所定の収納位置Ｓ１に収納された光モジュール９０の第２作業面側ラッチ９２が係脱可能に係合される第２作業面側ストッパ部８１ａと、前記収納位置Ｓ１よりも第２作業面側（図１３、図１５中左側）の引出保留位置Ｒ１（図１５参照）に引き出された光モジュール９０の第２作業面側ラッチ９２が係脱可能に係合される引出保留位置ストッパ部８１ｂとを備える。また、第２作業面側ストッパ部８１ａと引出保留位置ストッパ部８１ｂとの間には、両ストッパ部８１ａ、８１ｂ間を移動する第２作業面側ラッチ９２をガイドするラッチガイド部８１ｃ（図１６（ａ）〜（ｃ）参照）が設けられている。
【００６１】
図１４（ａ）〜（ｄ）に示すように、光モジュール９０は、外観薄板ケース状のモジュール本体９１の一側部に光コネクタ３１が実装されて構成されている。モジュール本体９１の光コネクタ３１が取り付けられた側の側面には、前記第２作業面側ラッチ９２が設けられ、前記光コネクタ３１に対向する後端側には、成端部８０の第１作業面側ストッパ部５２に対して係脱自在に係合する第１作業面側ラッチ３７が設けられている。この光モジュール９０の第１実施形態の光モジュール３０に対して異なる点は、前記第２作業面側ラッチ９２のみであり、他の部分は、第１実施形態の光モジュール３０と同様の構成であり、例えば、該光モジュール９０の厚さ方向２箇所に配設された二枚のシート状の仕切り材３８、３９によって、余長収納部４１、接続部収納部４２、光ファイバ収納部４３の３つの領域に内部が仕切られている構造等も同様である。
【００６２】
図１３〜図１５に示すように、前記光モジュール９０の第２作業面側ラッチ９２は、具体的には、モジュール本体９１から突設された弾性片であり、成端部８０に収納された際に上側に向けられる側面から突設されている鍔部９３と、この鍔部９３よりも第２作業面側（図１３中左側、図１４（ａ）中左側、図１５中左側）に配置されるツマミ９４とを備えて構成される。
【００６３】
第２作業面側ストッパ部８１ａや、引出保留位置ストッパ部８１ｂは、具体的には、図１６（ａ）〜（ｃ）に示すように、成端部８０の前後方向（光配線盤の前後方向。第２作業面側からあるいは第１作業面側から見た奥行き方向。光モジュール９０のスライド移動方向と一致。）に延在する部材である複合ストッパ部８１に、前後方向に離間して設けられている。前記第２作業面側ストッパ部８１ａは、光モジュール９０の第２作業面側ラッチ９２の前記鍔部９３をスライド移動自在に収納する鍔挿入溝８２の第２作業面側端部を塞ぐようにして設けられている壁部であり、前記鍔部９３が当接されることにより、それ以上の第２作業面側への移動を規制する。前記鍔挿入溝８２は、前記複合ストッパ部８１ａの第１作業面側端部（「第１作業面側」は光配線盤、成端部８０の第１作業面側に一致）に貫通されており、この鍔挿入溝８２の第１作業面側端部の開口部８２ａを介して、前記鍔部９３の前記鍔挿入溝８２に対する挿入、第１作業面側への抜き出しを自在に行うことができる。
前記引出保留位置ストッパ部８１ｂは、前記第２作業面側ストッパ部８１ａよりも第２作業面側にて、前記複合ストッパ部８１ａに前記鍔部９３が挿入される鍔挿入穴８３が形成された部分である。鍔挿入穴８３に挿入された鍔部８３は、第２作業面側、第１作業面側のいずれにも動かないように該鍔挿入穴８３内に拘束される。
【００６４】
光モジュール９０の第１作業面側ラッチ３７、並びに、成端部８０の第１作業面側ストッパ部５２の具体的構成は、図８（ａ）、（ｂ）に例示した通りであり、第１作業面側ラッチ３７は第１作業面側ストッパ部５２に対して係脱自在に係合する構成であり、第２作業面側への光モジュール９０の移動に対しては自動的に係合が解除され、第１作業面側への光モジュール９０の移動時には弾性変形操作によって係合解除されるようになっている。
【００６５】
図１３は、前記光モジュール９０を成端部８０の収納位置Ｓ１に安定収納した状態を示す。
図１３において、光モジュール９０の第２作業面側ラッチ９２は成端部９０の複合ストッパ部８１の第２作業面側ストッパ部８１ａに係合され、前記第１作業面側ラッチ３７は成端部８０の第１作業面側ストッパ部５２に係合されており、これにより、光モジュール９０が、ストッパ部８１ａ、５２との係合により、第２作業面側、第１作業面側のいずれにも引き出されないように固定されている。なお、光モジュール９０の第１作業面側ラッチ３７の第１作業面側ストッパ部５２に対する係合とは、第１実施形態にて説明した通りである（図８（ａ）参照）。
一方、光モジュール９０の第２作業面側ラッチ９２の複合ストッパ部８１に対する係合とは、図１６（ａ）に示すように、第２作業面側ストッパ部８１ａの鍔挿入穴８２に鍔部９３を挿入した状態である。この状態では、第２作業面側ラッチ９２を弾性変形させない限り、第２作業面側ストッパ部８１ａの鍔挿入穴８２から鍔部９３が抜き出ることは無い。
【００６６】
光モジュール９０へのケーブル側光ファイバ１６の引き込み、前記ケーブル側光ファイバ１６の光コネクタ３１に対する光モジュール９０内側からの接続（具体的には光モジュール９０内蔵の光ファイバとの接続等）によるコネクタ成端（コネクタ接続可能な成端）等の作業は、成端部８０の第１作業面側にて行う。ケーブル側光ファイバ１６の光コネクタ３１によるコネクタ成端を完了した光モジュール９０は、成端部８０の第１作業面側から成端部８０の収納位置Ｓ１に挿入、収納され、図１３の状態となる。
なお、光モジュール９０は、一旦、収納位置Ｓ１に収納してから、ケーブル側光ファイバ１６の収納が必要になったものから、適宜第１作業面側に引き出してケーブル側光ファイバ１６の引き込み、コネクタ成端作業を行い、再度、成端部８０内に収納するようにしても良い。
【００６７】
光モジュール９０に対するケーブル側光ファイバ１６の入れ替え、増設、撤去、光コネクタ３１に対する切替接続等の作業は、光モジュール９０を成端部８０の第１作業面側に引き出して、作業台上等にて開放して行う。
収納位置Ｓ１から光モジュール９０を第１作業面側に引き出すには、光モジュール９０の第１作業面側ラッチ３７の第１作業面側ストッパ部５２に対する係合を解除し、光モジュール９０を第１作業面側に押し動かせば良い。図８（ａ）中仮想線に示すように、光モジュール９０の第１作業面側ラッチ３７の第１作業面側ストッパ部５２に対する係合解除は、引き上げるようにして弾性変形させた第１作業面側ラッチ３７を、第２作業面側ストッパ部５２のストッパ壁５２ａの第１作業面側に乗り越えさせるようにすれば良い。
一方、光モジュール９０の第２作業面側ラッチ９２は、光モジュール９０の第１作業面側への移動にしたがって、複合ストッパ部８１ａの第２作業面側ストッパ部８１ａの鍔挿入溝８２から鍔部９３が引き出されるから、別途、係合解除作業を必要としない。
なお、第１作業面側に引き出した光モジュール９０の収納位置Ｓ１への再収納作業は、前述の収納作業と全く同様の作業によって行うことができる。
【００６８】
光モジュール９０の光コネクタ３１に対する光ファイバ１７、７０のコネクタ接続、接続解除、切替接続等の作業は、図１５に示すように、作業対象の光モジュール９０を、前記収納位置Ｓ１よりも第２作業面側にずれた引出保留位置Ｒ１に引き出し、第２作業面側、第１作業面側のいずれにも移動しないように固定した状態にて行う。
光モジュール９０を引出保留位置Ｒ１に引き出すには、複合ストッパ部８１の第２作業面側ストッパ部８１ａに対する第２作業面側ラッチ９２の係合（第２作業面側への移動規制）を解除し、光モジュール９０を第２作業面側に押し動かし、第２作業面側ラッチ９２を引出保留位置ストッパ部８１ｂに係合させる。一方、光モジュール９０の第１作業面側ラッチ３７は、図８（ｂ）に示すように、光モジュール９０の第２作業面側の移動に伴って、前記第１作業面側ラッチ３７が第２作業面側のテーパ面３７ｄによって前記第１作業面側ストッパ部５２の保留壁部５２ｂに乗り上げ、乗り越えることで、第１作業面側ストッパ部５２との係合が解除されるから、別途、係合解除作業を行う必要は無い。したがって、光モジュール９０の引出保留位置Ｒ１への引き出し作業は、この光配線盤の成端部８０の第２作業面側からの作業のみによって行うことができる。
【００６９】
図１６（ａ）〜（ｃ）に示すように、光モジュール９０の引出保留位置Ｒ１への移動は、具体的には、ツマミ９４の操作等により、弾性片である第２作業面側ラッチ９２を複合ストッパ部８１に対する離間方向に弾性変形（図１６（ｂ）では下方への弾性変形）させて鍔部９３を鍔挿入溝８２から抜き出し、次いで、光モジュール９０の第２作業面側への移動により、前記鍔部９３を引出保留位置ストッパ部８１ｂの鍔挿入穴８３に挿入する。前記鍔部９３は、鍔部挿入溝８２から抜き出された後、第２作業面側ラッチ９２自身の弾性力によって、鍔部挿入溝８２から引出保留位置ストッパ部８１ｂの鍔挿入穴８３にわたって延在する溝状のラッチガイド部８１ｃに押圧されて、このラッチガイド部８１ｃに沿ってガイドされつつ、鍔挿入穴８３まで移動されるため、収納空間Ｓ１から引出保留位置Ｒ１への光モジュール９０の移動は、前記ラッチガイド部８１ｃとモジュール台２３のガイド溝２３ａとによりガイドされつつ円滑になされる。
なお、引出保留位置Ｒ１から収納位置Ｓ１への光モジュール９０の移動も、同様に、前記ラッチガイド部８１ｃとモジュール台２３のガイド溝２３ａとによりガイドされつつ円滑になされる。
【００７０】
引出保留位置ストッパ部８１ｂの鍔挿入穴８３に到達した鍔部９３は、第２作業面側ラッチ９２自身の弾性によって、鍔挿入穴８３に挿入される。これにより、光モジュール９０の第２作業面側ラッチ９２が引出保留位置ストッパ部８１ｂに係合されることとなり、引出保留位置ストッパ部８１ｂの鍔挿入穴８３に挿入された鍔部９３により、光モジュール９０の第２作業面側、第１作業面側のいずれの方向への移動も規制される。したがって、この光モジュール９０の光コネクタ３１に対する光ファイバ１７、７０のコネクタ接続、接続解除、切替接続等の作業を効率良く行うことができる。
【００７１】
引出保留位置Ｒ１から収納位置Ｓ１側へ光モジュール９０を移動させるには、光モジュール９０の第２作業面側ラッチ９２を操作して引出保留位置ストッパ８１ｂとの係合を解除し、光モジュール９０を第１作業面側に押し込むようにしてスライド移動させれば良い。引出保留位置Ｒ１から第１作業面側へスライド移動する光モジュール９０は、第１作業面側ラッチ３７を成端部８０の第１作業面側ストッパ部５２に係合させ、第２作業面側ラッチ９２の鍔部９３を第２作業面側ストッパ部８１ａの第１作業面側の鍔挿入溝８２に挿入することで、収納位置Ｓ１に再収納することができる。また、引出保留位置Ｒ１から収納位置Ｓ１付近まで押し込んだ光モジュール９０を操作して第１作業面側を浮き上がるようにすることで、第１作業面側ラッチ３７を第１作業面側ストッパ部５２の第１作業面側に乗り越えさせると、光モジュール９０を、収納位置Ｓ１を通過させて、成端部８０の第１作業面側に引き出すことができる。
【００７２】
引出保留位置Ｒ１から第１作業面側へスライド移動した光モジュール９０を収納位置Ｓ１するには、具体的には、第１作業面側ラッチ３７の突爪３７ｂが、第１作業面側ストッパ部５２の保留壁部５２ｂに突き当たったところで、第１作業面側を浮き上がらせるようにして操作し、前記突爪３７ｂをラッチ収納溝５２ｃに挿入することで、第１作業面側ストッパ部５２に係合させる。第２作業面側ラッチ９２の鍔部９３は、第２作業面側ラッチ９２自身の弾性力によってラッチガイド部８１ｃに付勢された状態で該ラッチガイド部８１ｃに沿ってスライド移動するから、前記鍔部９３は、第２作業面側ストッパ部８１ａの第１作業面側の鍔挿入溝８２に到達したところで、鍔挿入溝８２に自動的に挿入される。これにより、両ラッチ３７、９２が各ストッパ部５２、８１ａに係合され、光モジュール９０が収納位置Ｓ１に再収納され、安定保持される。
第１作業面側の浮き上がり操作を行った光モジュール９０の第１作業面側ラッチ３７の突爪３７ｂを、第１作業面側ストッパ部５２のストッパ壁５２ａの第１作業面側に乗り越えさせると、第１作業面側ラッチ３７を第１作業面側ストッパ部５２に係合させること無く、成端部８０の第１作業面側に自在に引き出せるようになる。
【００７３】
本実施形態の光配線盤でも、第１実施形態の光配線盤１０と同様に、成端部８０の収納位置Ｓ１に収納した光モジュール９０の、第２作業面側および第１作業面側の両方向への引き出しが可能である。しかも、この光配線盤では、成端部８０の所定の収納位置Ｓ１に収納された光モジュール９０の第２作業面側ラッチ９２が係合される第２作業面側ストッパ部８１ａと、この第２作業面側ストッパ部８１ａの第２作業面側に設けられ、引出保留位置Ｒ１に引き出された光モジュール９０の第２作業面側ラッチ９２が係合される引出保留位置ストッパ部８１ｂとを備える複合ストッパ部８１を採用したことで、前記第１実施形態の光配線盤１０の引出保留位置ストッパ部２５に相当する構成を別途設置する必要が無く、構成を単純化することができる。光モジュール９０についても、該光モジュール９０を引出保留位置に保持するための構成を、第２作業面側ラッチ９２に集約することができるため、第１実施形態記載の光モジュール３０のように、第２作業面側ラッチ３６のほかに引出保留位置保持用の鍔部３３を別途必要とする構成と比べて、構成を単純化することができ、低コスト化を実現できる。しかも、第２作業面側ストッパ部８１ａや引出保留位置ストッパ部８１ｂに対して、第２作業面側ラッチ９２の係合を切り替えるだけで、成端部８０における光モジュール９０の保持位置を簡単に変更できるので、収納位置Ｓ１と引出保留位置Ｒ１との間での光モジュール９０の引き出し、再収納等の作業性を向上できるといった利点がある。
【００７４】
なお、本発明に係る光配線盤および光モジュールの具体的構成は、前記実施の形態に限定されず、各種変更が可能であることはいうまでもない。
光配線盤に設けられる第２作業面側ストッパ部や、第１作業面側ストッパ部の具体的構成は、前記実施の形態の第１、第２実施形態に例示したものに限定されず、各種構成が採用可能である。つまり、第２作業面側ストッパ部としては、光モジュールの光コネクタ側に設けられる第２作業面側ラッチに対して、第２作業面側への光モジュールの移動を規制しかつ第１作業面側への移動を許可する構成であれば良く、前記第１作業面側ストッパ部としては、前記光モジュールの光コネクタに対向する反対側に設けられる第１作業面側ラッチに対して、第１作業面側への移動を規制し第２作業面側への移動を許可する構成であれば良く、各周構成が採用可能である。
【００７５】
また、本発明の光配線盤に適用される光モジュールとしては、第２作業面側ラッチや第１作業面側ラッチを備えていない構成の光モジュールも適用可能である。つまり、第２作業面側ストッパ部としては、第２作業面側への光モジュールの移動を規制しかつ第１作業面側への移動を許可するように光モジュールに係脱可能に係合する構成であれば良く、第１作業面側ストッパ部としては、第１作業面側への光モジュールの移動を規制し第２作業面側への移動を許可するように光モジュールに係脱可能に係合する構成であれば良い。例えば、これら第２作業面側ストッパ部や第１作業面側ストッパ部として、光モジュールに対して係脱可能なラッチを採用し、光モジュールには、第２作業面側ストッパ部や第１作業面側ストッパ部に係合されるラッチが設けられていない構成も採用可能である。
光モジュールの内部を３つの領域に仕切る２枚の仕切り材としては、前記実施の形態に記載のように、コネクタ取付部等と一体成形された仕切り壁と、モジュール本体から取り出し可能なシートの組み合わせに限定されない。仕切り材としては、開閉自在の蓋を備えるモジュール本体の内部に、光コネクタ側から該光コネクタに対向する後端側に延在するようにして２枚が並行して設けられる構成であれば良く、例えば、２枚ともモジュール本体に取り出し可能に収納されるシートであっても良い。
【００７６】
本発明に係る光モジュールの適用対象のユニットは、光配線盤に限定されず、例えば、光成端箱、光分岐接続箱等、各種構成のユニットに幅広く適用可能である。前記実施の形態にて記載した光配線盤１０や、光配線盤（成端架体）１１、１２も、この光モジュールの適用可能なユニットの一例である。また、ユニット化されている成端部２１、８０も、本発明に係る光モジュールの適用可能なユニットとして機能する。
本発明に係る光モジュールが適用されたユニットとしては、この光モジュールの光コネクタが向けられる第２作業面側やこの第２作業面側に対向する第１作業面側へ、光モジュールを引き出し可能に収納する構成が採用される。また、光モジュールの光コネクタ側のラッチとしては、ユニットに対して、第２作業面側への光モジュールの移動を規制しかつ第１作業面側への移動を許可する係合構造を採用し、前記光コネクタに対向する反対側のラッチとしては、ユニットに対して、第１作業面側の移動を規制し第２作業面側の移動を許可する係合構造を採用する。これにより、光モジュールの対向する両側のラッチのユニットに対する係脱によって、光モジュールのユニットに対する係合保持状態、引き出し可能状態を簡単に切り替えることができる。また、ユニットに対して光モジュールを引き出そうとする側に位置するラッチのユニットに対する係合を解除することで、光モジュールの引き出しが可能となるから、ユニットの前記第２作業面側または第１作業面側の一方の側からの作業により、光モジュールの引き出し作業を行うことができる。
【００７７】
【発明の効果】
以上説明したように、本発明の光配線盤によれば、光モジュールが収納される成端部の第１作業面側に、前記光モジュールと係脱可能に係合して前記光モジュールの第１作業面側への引き出しを規制する第１作業面側ストッパ部が設けられ、前記成端部の第２作業面側には、前記光モジュールと係脱可能に係合して前記光モジュールの第２作業面側への引き出しを規制する第２作業面側ストッパ部が設けられ、第２作業面側ストッパ部並びに第１作業面側ストッパ部を光モジュールに対して係合させることで成端部内での光モジュールの安定収納を実現できる。また、第１、第２作業面側ストッパ部の光モジュールに対する係合を解除することで、第１作業面側、第２作業面側のいずれの側にも光モジュールの引き出しが可能であるから、第２作業面側での光コネクタに対する光ファイバに対するコネクタ接続、接続解除、切替接続等の作業、並びに、第１作業面側での光モジュールの引き出し、収納等の作業が、成端部の対向する両側に分離されて互いに干渉すること無く効率良く行うことができるとともに、しかも、作業対象の光モジュールが引き出されていることで、第１作業面側並びに第２作業面側のいずれの側でも、作業対象の光モジュールに対する作業を周囲の光モジュールや光ファイバ等との干渉を避け得る場所にて効率良く行うことができ、作業性を向上できる。
作業対象の光モジュールの第２作業面側への引き出しが可能であると、作業対象の光モジュールの光コネクタに対する光ファイバのコネクタ接続、接続解除、切替接続等の作業を、他の光モジュールの光コネクタや、この光コネクタに接続されている光ファイバと干渉すること無く、効率良く行うことができ、作業性を向上できるといった利点がある。この結果、成端部に光モジュールを高密度収納しても、光モジュールの光コネクタに対する第２作業面側からの光ファイバのコネクタ接続、接続解除等の作業性を確保できるので、光モジュールの収納密度の高密度化を実現できる。
請求項２記載の発明では、成端部に設けられた引出保留位置ストッパ部に係合された光モジュールの第１作業面側への引き出しが規制されることで、この光モジュールの光コネクタに対する光ファイバのコネクタ接続等の作業性を一層向上できるといった優れた効果を奏する。
【００７８】
本発明の光モジュールによれば、光コネクタ側の端部と、前記光コネクタに対向する反対側の端部とに、それぞれ設けられているラッチのユニットに対する係脱を切り替えることで、ユニットに対する係合を解除したラッチの側への光モジュールのユニットからの引き出しが可能となる。光モジュールの光コネクタ側に設けられているラッチのユニットに対する係合を解除すると、この光コネクタ側への光モジュールのユニットから引き出しが可能となるから、充分な作業スペースが確保できる場所にて、光コネクタに対する光ファイバのコネクタ接続、接続解除等の作業を行うことができる。
【００７９】
請求項６記載の光モジュールによれば、ユニットに対して引き出し、再収納等を行っても、スリット状の光ファイバ引込口の延在範囲によって光ファイバの移動を抑えることができるから、この光ファイバによる光通信に悪影響を与えたり、光ファイバを傷めるといった不都合を容易に防止できる。また、光ファイバ引込口を介してモジュール本体内に引き込まれている光ファイバが引き出し可能になっていることも、活線状態の光ファイバの光通信に悪影響を与えたり、光ファイバを傷めるといった不都合の回避に寄与する。
【図面の簡単な説明】
【図１】  本発明の第１実施形態の光配線盤を第２作業面側から見た正面図である。
【図２】  図１の光配線盤を構成する成端架体を光配線盤の第２作業面側に対向する第１作業面側から見た斜視図である。
【図３】  図１の光配線盤（詳細には成端架体）に搭載される成端部を第２作業面側から見た正面図である。
【図４】  図１の光配線盤に適用される成端部を示す側断面図である。
【図５】  図４のＡ−Ａ線矢視図である。
【図６】  図１の光配線盤の成端部に収納される光モジュールを示す図であって、（ａ）は正面図、（ｂ）は光コネクタ側から見た側面図（左側面図）、（ｃ）は前記光コネクタと対向する側（後端側）から見た側面図（右側面図）、（ｄ）は平面図である。
【図７】  図１の光配線盤の成端部に設けられた第２作業面側ストッパ部並びに引出保留位置ストッパ部と、光モジュールの第２作業面側ラッチ並びに鍔部との関係を示す側断面図であって、（ａ）は成端部内の収納位置での光モジュールの収納時、（ｂ）は光モジュールの第２作業面側ラッチの前記第２作業面側ストッパ部に対する係合解除時、（ｃ）は光モジュールの収納位置から第２作業面側への引き出し時を示す。
【図８】  図１の光配線盤の成端部に設けられた第１作業面側ストッパ部と、光モジュールの第１作業面側ラッチとの関係を示す側断面図であって、（ａ）は成端部内の収納位置での光モジュールの収納時、（ｂ）は第２作業面側への引き出し時を示す。
【図９】  図１の光配線盤の成端部の引出保留位置に光モジュールを引き出した状態を示す側断面図である。
【図１０】  図１の光配線盤の成端部から第１作業面側への光モジュールの引き出し状態を示す側断面図である。
【図１１】  図６の光モジュールの内部構造を示す図であって、（ａ）は光モジュールの両側部に設けられた蓋の一方（蓋４０ａ）を取り外した状態を示す図、（ｂ）は他方の蓋と仕切り材とを取り外した状態を示す図である。
【図１２】  図１１（ａ）、（ｂ）の光モジュールの内部の仕切り材に形成されている押え片近傍を示す斜視図である。
【図１３】  本発明の第２実施形態の光配線盤を示す図であって、この光配線盤の成端部を示す側断面図である。
【図１４】  図１３の成端部に適用される光モジュールを示す図であって、（ａ）は正面図、（ｂ）は光コネクタ側から見た側面図（左側面図）、（ｃ）は前記光コネクタ３１と対向する側（後端側）から見た側面図（右側面図）、（ｄ）は平面図である。
【図１５】  図１３の光配線盤の成端部の引出保留位置に光モジュールを引き出した状態を示す側断面図である。
【図１６】  図１３の光配線盤の成端部に設けられた複合ストッパ部と、光モジュールの第２作業面側ラッチとの関係を示す側断面図であって、（ａ）は複合ストッパ部の第２作業面側ストッパ部に対する光モジュールの第２作業面側ラッチの係合時、（ｂ）は複合ストッパ部の第２作業面側ストッパ部に対する光モジュールの第２作業面側ラッチの係合解除時、（ｃ）は複合ストッパ部の引出保留ストッパ部に対する光モジュールの第２作業面側ラッチの係合時を示す。
【図１７】  光モジュールを用いた従来例の光配線盤の一例を示す図であって、（ａ）は正面図、（ｂ）は側断面図である。
【符号の説明】
１０…光配線盤、１１，１２…光配線盤（成端架体）、１６…光ファイバ（ケーブル側光ファイバ）、２１，２２，８０…成端部（成端ユニット）、２５，８１ｂ…引出保留位置ストッパ部、３０，９０…光モジュール、３１…光コネクタ、３６，９２…第２作業面側ラッチ、３７…第１作業面側ラッチ、５１，８１ａ…第２作業面側ストッパ部、５２…第１作業面側ストッパ部、８１…複合ストッパ部（第２作業面側ストッパ部、引出保留位置ストッパ部）。
【図１】
0003847533.tif 000002
【図２】
0003847533.tif 000003
【図３】
0003847533.tif 000004
【図４】
0003847533.tif 000005
【図５】
0003847533.tif 000006
【図６】
0003847533.tif 000007
【図７】
0003847533.tif 000008
【図８】
0003847533.tif 000009
【図９】
0003847533.tif 000010
【図１０】
0003847533.tif 000011
【図１１】
0003847533.tif 000012
【図１２】
0003847533.tif 000013
【図１３】
0003847533.tif 000014
【図１４】
0003847533.tif 000015
【図１５】
0003847533.tif 000016
【図１６】
0003847533.tif 000017
【図１７】
0003847533.tif 000018